(57)【要約】【課題】  リップスティックの如き化粧品入り容器などの小型軽量な容器を簡単に出し入れ可能な状態で包装でき、かつ簡便に包装状態を保持できるようにしたイージー、ミニマム思想のパッケージを提供する。【解決手段】  断面アーチ状の筒体の湾曲面部分を形成する側面板部１の両側に、折れ線４を介して平坦な一側面部分を形成する側面板部２、３を連設し、一方の側面板部２の両端部に折れ線６を介してツメ片５を連設し、側面板部１の内側面に弱粘着剤７を塗布してなり、側面板部２、３を重合一体化して筒体となし、ツメ片５を折込んで収納する被包装物Ａをツメ片で押圧保持させるようにした。【選択図】  図２
2005067711.tif 000002
【特許請求の範囲】
【請求項１】
対向二面が開放され他面が被覆されて、被包装物を対向二面から出し入れ可能に包装する形態を有するパッケージであって、被包装物と接面乃至対面する面の一部部位において被包装物の外側部に圧接可能なように折込みツメ片を形成した構成を有するパッケージ。
【請求項２】
筒体の対向両端部を被包装物の出し入れ用開口部とし、筒面の少なくとも一部を筒方向の平坦状面とし、この端部に上記開口部から筒内に折込み可能なツメ片を延設し、折込んだツメ片が筒内の被包装物の側面部に圧接するようにした構成を有するパッケージ。
【請求項３】
筒体の対向両端部を被包装物の出し入れ用開口部とし、筒面の少なくとも一部を筒方向の平坦状面とし、この端部に上記開口部から筒内に折込み可能なツメ片を延設し、折込んだツメ片が筒内の被包装物の側面部に圧接可能とするとともに、筒内面には被包装物の側面部が接触可能な適宜部位に粘着剤を塗布してなる構成を有するパッケージ。
【請求項４】
筒体の対向両端部を被包装物の出し入れ用開口部とし、筒面の一部に内方に折込み可能なツメ片を刻設し、外側部に凹陥部を有する被包装物を筒内に収納した状態において、ツメ片は上記凹陥部と対向しかつ凹陥部内に折込まれるように形成した構成を有するパッケージ。
【発明の詳細な説明】
【技術分野】
【０００１】
本発明は、例えばリップスティック、アイカラー、フェイスカラーの如き化粧品入り容器など、小型軽量な容器を納めて保持するのに好適なパッケージに関する。
【背景技術】
【０００２】
切込みを入れて掛止片を起し、これに商品の一端部を掛止させ、その上にカバーを被せて掛止片を押えるようにした構成は、例えば特許文献１に示されている。この構成ではカバーを開かなければ商品は取り出すことができない。
切込みを入れた開裂用爪を設け、密封した包装の一部を該爪を内方に折込むことによって開裂させるようにした構成は、特許文献２にも示されているが、この構成は被包装物を保持するものではない。
抑止片の縁に切込みを入れてフック片を形成し、この切込みに他の縁部を挟み込むようにした止め構造が、例えば特許文献３に示されているが、これは包装の封止構成であって、被包装物を保持するものではない。
【特許文献１】実開平４−４８１１７号公報
【特許文献２】登録実用新案第３００３２０９号公報
【特許文献３】特実２００３−２１２２２９号公報
【発明の開示】
【発明が解決しようとする課題】
【０００３】
本発明は、上記のような切込みにより形成した片の機能とは異なる機能により、被包装物を簡単に出し入れ可能な状態で包装でき、かつ簡便に包装状態を保持できるようにした新規な着想のパッケージを提供せんとするものである。
【課題を解決するための手段】
【０００４】
上記課題を達成するために、本発明は、対向二面が開放され他面が被覆されて、被包装物を対向二面から出し入れ可能に包装する形態を有するパッケージであって、被包装物と接面乃至対面する面の一部部位において被包装物の外側部に圧接可能なように折込みツメ片を形成してパッケージを構成したことを特徴とする。
パッケージはスリーブ状の如き筒体とし、筒体の対向両端部を被包装物の出し入れ用開口部とし、筒面の少なくとも一部を筒方向の平坦状面とし、この端部に上記開口部から筒内に折込み可能なツメ片を延設し、折込んだツメ片が筒内の被包装物の側面部に圧接するようにした構成とするのが好ましい。
また、上記構成とともに、筒内面には被包装物の側面部が接触可能な適宜部位に粘着剤を塗布した構成のものとすればさらに好ましい。
また上記とは別に、パッケージは、筒体の対向両端部を被包装物の出し入れ用開口部とし、筒面の一部に内方に折込み可能なツメ片を刻設し、外側部に凹陥部を有する被包装物を筒内に収納した状態において、ツメ片は上記凹陥部と対向しかつ凹陥部内に折込まれるように形成した構成とすることもできる。
【発明の効果】
【０００５】
被包装物に折込んだツメ片が圧接することにより、ストッパーの役割を果たして固定でき、パッケージが外れることなく被包装物を保持可能なので、簡素な資材で簡潔な包装形態のパッケージ、即ちイージー、ミニマムの思想を取り入れたパッケージが実現でき、外観もシンプルとなり、操作も簡便なものとして提供することができる。
ツメ片の圧接により、パッケージ内面と被包装物外面部との間に摩擦抵抗が生じて抜け外れを押える。内面部に粘着剤を塗布した構成によれば、上記摩擦作用に加えて、粘着剤の粘着抵抗が加わり、抜け外れが一層生じ難くなる。
また、凹陥部に圧接したツメ片は被包装物の移動を押えて固定する。
【発明を実施するための最良の形態】
【０００６】
以下、本発明の一例としての実施の形態を図面によって説明する。
図１は本発明に係るパッケージの一例を示す展開図、図２はその組立状態の斜視図、図３、４はその断面図であり、図５〜８はパッケージの別の一例を示している。
【０００７】
図１は、筒状のパッケージを形成するための展開状態のシートであり、Ａ−ＰＥＴ、ポリプロピレン、ポリエチレン、ポリカーボネート、その他の単体又は複合体としてなるプラスチックシート材、合成紙材などを素材とし、これに適宜印刷を施し、加圧加工し、輪郭を打ち抜き加工して形成してある。透明、不透明は任意である。
このシートは、断面アーチ状の筒体の湾曲面部分を形成する側面板部１と、その両側（図で左右）に折れ線（折曲げ罫線）４、４を介して連設し、アーチ状筒体の平坦な一側面部分を形成する側面板部２、３と、少なくとも一方の側面板部２の両端部（図で上下）に折れ線６、６を介して連設したツメ片５、５とを有した構成としてある。
【０００８】
側面板部２、３は略同巾に形成し、上記アーチ状の直径相当巾よりは狭巾で半径前後の巾以上の適度な巾として形成するのが好ましい。ツメ片５、５はいずれも、上記アーチ状の断面形状内に納まる大きさ形状として形成し、好ましくは側面板部２乃至３よりも広巾とならないように形成してある。
さらに、湾曲面を形成する側面板部１の内側面には弱粘着剤７例えば弱粘着インクを塗布してなる。塗布は全面でもよいが、若干巾の筋条とし、適当な間隔を置いて並列状態に塗布し、或いは図示しないが多数の散在点状に塗布するなどが好ましい。図は斜め平行線模様としてあるが、縦線、横線、格子線など所望でよい。
【０００９】
上記構成のシートは、図２、３に示すように、粘着剤７塗布面を内側にして側面板部１をアーチ状に湾曲させ、折れ線４を内折れさせて側面板部２、３を重合させるとともに、重合面を接着一体化させる。接着は接着剤、ヒートシ−ルなど任意手段でよいが、適宜個所をスポット接着することでよい。こうしてアーチ筒状のパッケージが形成される。折れ線６を内折れさせて、ツメ片５、５を両端の開口部から筒内方に折込んで使用に供することができる。
被包装物Ａの包装は、図３、４に示すように、開口部からパッケージ内に挿入すればよく、入り口のツメ片５は挿入方向に押圧されて平坦な側面板部２の内側面に重なり、対向するツメ片５も指先或いは自動装置のガイドピン（図示せず）で押圧しつつ、被包装物を押し込んで納めればよい。
【００１０】
包装された被包装物は、ツメ片５、５の復元反発力によって、パッケージ内側面に圧接するので、滑って抜け外れることがない。この際、内側面に粘着剤が塗布してあれば、摩擦抵抗に粘着抵抗が加わるので一層抜け外れ難くなる。被包装物の引き抜きはその一端部を指先で押出すように押圧して行えばよく、操作負担を感じさせることがない。粘着剤は弱粘着力のものを用いることにより、引く抜き操作を阻害するほどの抵抗感を生じさせることがない。
パッケージは、少なくともその一側部に平坦面部が形成されているので、ツメ片５の折込み、圧接が容易となり、また、パッケージを台上などに置いたときに転がることがなく、安定して展示し、或いは使用することができる。
【００１１】
なお、ツメ片５、５は、上記のように両方ともに内折れした状態で被包装物に圧接するのが最も好ましいが、被包装物挿入側のツメ片５を折込む一方、図示しないが、対向側のツメ片は略直角折れさせて開口部を塞ぐストッパー状態に立ち上げておくことも可能である。
【００１２】
上記において、パッケージ内に被包装物が略密着状態で包装できるように設計されることは当然のことである。また、アーチ状の筒形は、例えばリップスティックなどの円筒状被包装物に特に好適であるが、角筒状その他の形状の被包装物には、各対応する形状の筒体として形成させればよいものである。
【００１３】
図５〜８は、上記とは異なるパッケージの例を示すものである。
このシートは、直方体状の筒体を構成する正面板部１１と、その両側に折れ線１４、１４を介して連設した左右側面板部１３、１３と、その一側に折れ線１４を介して連設した背面板部１２と、背面板部の他側に折れ線１４を介して連設した糊代となる側面板部１３ａとを有し、この背面板部１２（他の側面板部でもよい）の面内に、基部の折れ線１５ａとツメ部の切込み線１５ｂを刻設したツメ片１５を形成してなっている。図では背面板部の一側部沿いの前後寄り２箇所に円弧状のパッケージ内方に折込み可能なツメ片１５、１５が形成してある。なお、図示していないが、任意面板部の内側面に、前記と同様にして弱粘着剤を塗布しておくことができる。
【００１４】
上記構成のシートは、図６、７に示すように、各折れ線を内折れさせ、両側の側面板部１３、１３ａを重合し、接着剤、ヒートシールなどの任意手段で接着一体化して直方体状の筒体のパッケージを形成し、被包装物Ｂをパッケージ内に収納した上で、ツメ片１５、１５を内方に折込んで使用に供される。
上記被包装物Ｂは、パッケージ内に略ピッタリと納まる直方体状の容器であって、上記ツメ片１５、１５と対向する外側面内に、ツメ片１５が嵌入可能な凹陥部ｂ１を形成したものが適用可能である。
被包装物Ａの包装は、図６、８に示すように、開口部からパッケージ内に挿入すればよく、その上でツメ片１５、１５を押圧して凹陥部内に折込めばよい。
【００１５】
包装された被包装物は、ツメ片１５が凹陥部に係止していることによってパッケージから滑って抜け外れることがない。この際、内側面に粘着剤が塗布してあれば、粘着抵抗が加わるので一層抜け外れ難くなる。被包装物の引き抜きは一端部を指先で押圧して行えばよく、ツメ片１５は円弧部に案内されて折込み状態が解除され、引き抜きが容易に行える。
【図面の簡単な説明】
【００１６】
【図１】本発明に係るパッケージのシート状態を示す展開図である。
【図２】（Ａ）は図１のシートを組立て、ツメ片を折込む前のパッケージの斜視図、（Ｂ）はツメ片を折込んだ状態の斜視図である。
【図３】図２（Ｂ）のパッケージの断面図である。
【図４】図３のパッケージに被包装物を収納した状態の断面図である。
【図５】図１とは別の例を示すパッケージの展開図である。
【図６】図５のシートを組立てたパッケージの斜視図である。
【図７】図６のパッケージの断面図である。
【図８】図６のパッケージに被包装物を収納した状態の断面図である。
【符号の説明】
【００１７】
１、２、３  側面板部        ４、６  折れ線        ５  ツメ片
７  弱粘着剤
１１〜１３、１３ａ  側面板部        １４  折れ線
１５  ツメ片        １５ａ  折れ線        １５ｂ  切込み線
Ａ，Ｂ  被包装物        ｂ１  凹陥部
【図１】
2005067711.tif 000003
【図２】
2005067711.tif 000004
【図３】
2005067711.tif 000005
【図４】
2005067711.tif 000006
【図５】
2005067711.tif 000007
【図６】
2005067711.tif 000008
【図７】
2005067711.tif 000009
【図８】
2005067711.tif 000010